(57)【要約】【課題】陸や物標からのエコーを残し、雨雪反射のみを良好に抑圧することができるレーダ装置を提供する。【解決手段】レーダ装置は、区間判定部１１を備える。区間判定部１１は、受信信号をサンプリングした受信データ系列の中から、所定の距離範囲内の受信データを抽出し、当該抽出された受信データに基づいて、当該距離範囲が「陸／物標区間」であるか「雨雪／ノイズ区間」であるかを判定する。このレーダ装置は、受信データに含まれる雨雪反射を、雨雪反射除去閾値に基づいて抑圧するように構成される。内部データ根拠閾値算出部１４は、「雨雪／ノイズ区間」であると判定された距離範囲についてのみ、当該距離範囲内の受信データに基づいて、当該距離範囲に対する雨雪反射除去閾値としての内部データ根拠閾値を求める。【選択図】図１
2011002425.tif 000002
【特許請求の範囲】
【請求項１】
受信信号をサンプリングした受信データ系列の中から、所定の距離範囲内の受信データを抽出し、当該抽出された受信データを用いて、当該距離範囲が雨雪反射又はホワイトノイズが支配的な距離範囲であるか否かを判定する判定部を備えることを特徴とするレーダ装置。
【請求項２】
請求項１に記載のレーダ装置であって、
前記判定部は、前記所定の距離範囲内の受信データについて、信号レベルを階級値として累積度数を求め、前記累積度数の所定範囲に対応する階級値の幅が所定値以上か否かに基づいて、当該距離範囲が雨雪反射又はホワイトノイズが支配的な距離範囲であるか否かを判定することを特徴とするレーダ装置。
【請求項３】
請求項１又は２に記載のレーダ装置であって、
前記判定部は、前記所定の距離範囲内の受信データについて、信号レベルの最大値と最小値を求め、前記最大値と最小値との差が所定値以上か否かに基づいて、当該距離範囲が雨雪反射又はホワイトノイズが支配的な距離範囲であるか否かを判定することを特徴とするレーダ装置。
【請求項４】
請求項１から３までの何れか一項に記載のレーダ装置であって、
前記判定部は、所定の雨量に対応する雨量レベルをレーダ方程式に基づいて算出するとともに、前記所定の距離範囲内の受信データについて、信号レベルが前記雨量レベルを超える受信データの数を求め、前記雨量レベルを超える前記受信データの数が所定値以上か否かに基づいて、当該距離範囲が雨雪反射又はホワイトノイズが支配的な距離範囲であるか否かを判定することを特徴とするレーダ装置。
【請求項５】
請求項１から４までの何れか一項に記載のレーダ装置であって、
当該レーダ装置は、受信データに含まれる雨雪反射を、閾値に基づいて抑圧するように構成されるとともに、
前記所定の距離範囲ごとに前記閾値を決定する閾値出力部を備え、
前記閾値出力部は、雨雪反射又はホワイトノイズが支配的であると判定された距離範囲内の受信データに基づいて、当該距離範囲に対する前記閾値としての内部データ根拠閾値を求める内部データ根拠閾値算出部を備えることを特徴とするレーダ装置。
【請求項６】
請求項５に記載のレーダ装置であって、
前記閾値出力部は、雨雪反射又はホワイトノイズが支配的でないと判定された距離範囲についての前記閾値を求める閾値補間部を備え、
前記閾値補間部は、前記閾値を求めようとする前記距離範囲に隣接した他の距離範囲であって、かつ雨雪反射又はホワイトノイズが支配的であると判定された距離範囲についての内部データ根拠閾値に基づいて、前記閾値を決定することを特徴とするレーダ装置。
【請求項７】
請求項５又は６に記載のレーダ装置であって、
前記閾値出力部は、雨雪反射又はホワイトノイズが支配的でないと判定された距離範囲について、レーダ方程式に基づいて算出された雨量レベルから所定のオフセットを減算した値を前記閾値として採用する閾値決定部を備えることを特徴とするレーダ装置。
【発明の詳細な説明】
【技術分野】
【０００１】
本発明は、レーダ装置において雨雪反射を抑圧するための構成に関する。
【背景技術】
【０００２】
レーダ装置においては、物標や陸からのエコー（反射波）のほか、波からのエコー（海面反射）や、雨や雪からのエコー（雨雪反射）がアンテナで受信される。そこで、このような不要な反射波（クラッタ）を除去する技術が各種提案されている。特に雨雪反射は、自船位置からの距離だけでなく、天候により受信データの信号レベルが大きく変動するため抑圧が困難であり、従来から雨雪反射の抑圧技術が各種提案されている。例えば船舶機器レーダにおいては、雨雪反射を抑圧する手法として、レンジ方向の微分処理（ＦＴＣ：Ｆａｓｔ  Ｔｉｍｅ  Ｃｏｎｓｔａｎｔ）や、ＬＯＧ／ＣＦＡＲ（一定誤警報率：Ｃｏｎｓｔａｎｔ  Ｆａｌｓｅ  Ａｌａｒｍ  Ｒａｔｅ）などが知られている。
【０００３】
一方、特許文献１は、入力信号を所定の閾値（クランプレベル）でクランプし、相関処理を施すことによりランダム性の高い信号（雨雪反射等）を取り除き、物標からの反射信号のみを抽出する構成を開示している。
【先行技術文献】
【特許文献】
【０００４】
【特許文献１】特開２００２−２４３８４２号公報
【発明の概要】
【発明が解決しようとする課題】
【０００５】
しかし、ＦＴＣ処理では、比較的雨量が少なくて周波数成分が高くなるような雨雪反射を除去することが難しい。逆に、ＬＯＧ／ＣＦＡＲ処理では、雨量が多くて雨雪反射が強くなった場合、雨雪反射とともに陸エコーも消してしまう問題がある。また、特許文献１の構成では、入力信号をクランプするための閾値が不適切な場合には、雨雪反射を適切に除去することができない場合もあると考えられる。
【０００６】
即ち、従来のレーダ装置では、雨雪反射抑圧が十分ではない場合や、雨雪反射以外のエコーを消してしまう場合があった。
【０００７】
本願発明は以上の事情に鑑みてされたものであり、その主要な目的は、陸や物標からのエコーを残し、雨雪反射のみを良好に抑圧することができるレーダ装置を提供することにある。
【課題を解決するための手段及び効果】
【０００８】
本発明の解決しようとする課題は以上の如くであり、次にこの課題を解決するための手段とその効果を説明する。
【０００９】
本発明の観点によれば、以下の構成のレーダ装置が提供される。即ち、このレーダ装置は、判定部を備える。前記判定部は、受信信号をサンプリングした受信データ系列の中から、所定の距離範囲内の受信データを抽出し、当該抽出された受信データを用いて、当該距離範囲が雨雪反射又はホワイトノイズが支配的な距離範囲であるか否かを判定する。
【００１０】
これにより、距離範囲ごとに、当該距離範囲が雨雪反射又はホワイトノイズが支配的な距離範囲であるか否かに応じて、雨雪反射除去の処理を異ならせることができる。従って、距離範囲ごとに適切な雨雪反射除去を行うことができるので、陸や物標からのエコーを残しつつ雨雪反射を良好に抑圧することができる。
【００１１】
上記のレーダ装置においては、以下のように構成されることが好ましい。即ち、前記判定部は、前記所定の距離範囲内の受信データについて、信号レベルを階級値として累積度数を求め、前記累積度数の所定範囲に対応する前記階級値の幅が所定値以上か否かに基づいて、当該距離範囲が雨雪反射又はホワイトノイズが支配的な距離範囲であるか否かを判定する。
【００１２】
即ち、雨雪反射の信号レベルは、変動の幅が小さい傾向があるため、累積度数の所定範囲に対応する信号レベルの幅が狭くなる。一方、陸や物標からのエコーは、幅広い信号レベルの範囲で検出されるため、累積度数の所定範囲に対応する信号レベルの幅が広くなる。従って、ある距離範囲内の受信データについて、累積度数の所定範囲に対応する信号レベルの幅が所定値以上の場合は、当該距離範囲は雨雪反射又はホワイトノイズが支配的な距離範囲ではないと判断できる。
【００１３】
前記のレーダ装置においては、以下のように構成されることが好ましい。即ち、前記判定部は、前記所定の距離範囲内の受信データについて、信号レベルの最大値と最小値を求め、前記最大値と最小値との差が所定値以上か否かに基づいて、当該距離範囲が雨雪反射又はホワイトノイズが支配的な距離範囲であるか否かを判定する。
【００１４】
即ち、雨雪反射の信号レベルは、変動の幅が小さい傾向があるため、信号レベルの最大値と最小値との差は比較的小さくなる。一方、距離範囲内に陸や物標からのエコーがある部分と無い部分とがある場合、信号レベルの最大値と最小値との差は大きくなる。従って、ある距離範囲内の受信データについて、信号レベルの最大値と最小値との差が所定値以上の場合は、当該距離範囲は雨雪反射又はホワイトノイズが支配的な距離範囲ではないと判断できる。
【００１５】
前記のレーダ装置においては、以下のように構成されることが好ましい。即ち、前記判定部は、所定の雨量に対応する雨量レベルをレーダ方程式に基づいて算出するとともに、前記所定の距離範囲内の受信データについて、信号レベルが前記雨量レベルを超える受信データの数を求め、前記雨量レベルを超える前記受信データの数が所定値以上か否かに基づいて、当該距離範囲が雨雪反射又はホワイトノイズが支配的な距離範囲であるか否かを判定する。
【００１６】
即ち、所定の信号レベル以上の雨雪反射が一定数以上検出されることは考えにくい。一方、距離範囲内に大きな陸等がある場合は、所定の信号レベル以上のエコーが連続して検出され得る。従って、所定の雨量レベル以上の信号レベルを示す受信データの数が所定値以上の場合は、当該距離範囲は雨雪反射又はホワイトノイズが支配的な距離範囲ではないと判断できる。
【００１７】
前記のレーダ装置においては、以下のように構成されることが好ましい。即ち、このレーダ装置は、受信データに含まれる雨雪反射を、閾値に基づいて抑圧するように構成される。また、当該レーダ装置は、前記所定の距離範囲ごとに前記閾値を決定する閾値出力部を備える。また、前記閾値出力部は、内部データ根拠閾値算出部を備える。前記内部データ根拠閾値算出部は、雨雪反射又はホワイトノイズが支配的であると判定された距離範囲内の受信データに基づいて、当該距離範囲に対する前記閾値としての内部データ根拠閾値を求める。
【００１８】
即ち、雨雪反射又はホワイトノイズが支配的な距離範囲については、当該距離範囲内の受信データに基づいて、当該受信データに含まれる雨雪反射を抑圧するための閾値を適切に算出することができる。
【００１９】
前記のレーダ装置は、以下のように構成されることが好ましい。即ち、前記閾値出力部は、閾値補間部を備える。前記閾値補間部は、雨雪反射又はホワイトノイズが支配的でないと判定された前記距離範囲についての前記閾値を求める。また、前記閾値補間部は、前記閾値を求めようとする前記距離範囲に隣接した他の距離範囲であって、かつ雨雪反射又はホワイトノイズが支配的であると判定された距離範囲についての内部データ根拠閾値に基づいて、前記閾値を決定する。
【００２０】
即ち、雨雪反射を抑圧するための閾値を、雨雪反射又はホワイトノイズが支配的ではない距離範囲内の受信データに基づいて算出するのは難しい。この点、本発明のように構成することにより、雨雪反射又はホワイトノイズが支配的ではない距離範囲についての閾値を、当該距離範囲内の受信データを用いることなく、隣接する他の距離範囲についての閾値から求めることができる。従って、不適切なデータに基づいた閾値の算出を防止できるため、当該距離範囲において、陸や物標からのエコーは残しつつ、雨雪反射のみを良好に抑圧することができる。
【００２１】
前記のレーダ装置は、以下のように構成されることが好ましい。即ち、前記閾値出力部は、閾値決定部を備える。前記閾値決定部は、雨雪反射又はホワイトノイズが支配的でないと判定された距離範囲について、レーダ方程式に基づいて算出された雨量レベルから所定のオフセットを減算した値を前記閾値として採用する。
【００２２】
即ち、雨雪反射を抑圧するための閾値を、雨雪反射又はホワイトノイズが支配的ではない距離範囲内の受信データに基づいて算出するのは難しい。この点、本発明のように構成することにより、内部データ根拠閾値が算出された距離範囲が隣接していない場合であっても、雨雪反射又はホワイトノイズが支配的ではない距離範囲について閾値を決定することができる。また、雨量レベルから所定のオフセットを減算した値を閾値として用いることにより、陸や物標からのエコーを確実に残すことができる。
【図面の簡単な説明】
【００２３】
【図１】本発明の一実施形態に係るレーダ装置の主要構成を示すブロック図。
【図２】雨雪反射抑圧部におけるデータフロー図。
【図３】ヒストグラム総和値カーブの概念図。
【図４】距離範囲内の最大値と最小値との差を説明する図。
【図５】一定雨量レベル曲線の例を示す図。
【図６】距離方向及び方位方向に隣接する距離範囲を説明する模式図。
【発明を実施するための形態】
【００２４】
次に、図面を参照して本発明の実施形態について説明する。図１は、本実施形態に係る船舶用レーダ装置の主要構成を示すブロック図である。なお、本実施形態では船舶用のレーダ装置として説明するが、本発明のレーダ装置の用途が船舶用に限られるものではない。
【００２５】
本実施形態のレーダ装置が備えるレーダアンテナ１は、鋭い指向性を持った放射信号（パルス状電波）を放射可能であるとともに、自装置周囲にある陸や物標からのエコー（反射信号）を受信するように構成されている。また、レーダアンテナ１は、所定の回転周期で水平面内で回転しながら、前記信号の送受信を繰り返し行うように構成されている。
【００２６】
表示器８は、ＣＲＴ、ＬＣＤ等であり、グラフィック表示可能なラスタスキャン式の表示装置として構成されている。
【００２７】
ここで、放射信号を放射してからエコーが返ってくるまでに掛かる時間は、レーダアンテナ１から陸又は物標までの距離に比例する。従って、放射信号を放射してから受信信号を受信するまでの時間を動径Ｒ、当該信号の送受信を行ったときのアンテナ角度を偏角θとすることにより、陸又は物標の位置をレーダアンテナ１を中心とした極座標系で取得することができる。この極座標系で取得された陸又は物標の位置を平面上にプロットすることにより、レーダ映像を得ることができる。本実施形態のレーダ装置は、前記レーダ映像を前記表示器８に表示することにより、自装置周囲の陸又は物標の様子を確認できるように構成したものである。
【００２８】
なお、レーダアンテナ１は、陸や物標からのエコー以外にも、雨や雪からのエコー（以下、雨雪反射という）を受信する。また、当該レーダアンテナ１が受信した信号にはホワイトノイズが含まれる。従って、仮にレーダアンテナ１で受信した信号を表示器８にそのまま表示する構成とすると、陸や物標とともに雨雪反射等もプロットされたレーダ映像が表示されてしまう。なお本明細書では、雨雪反射及びホワイトノイズをまとめて「雨雪反射等」と称する場合がある。
【００２９】
本実施形態のレーダ装置は、このような雨雪反射等を抑圧するための雨雪反射抑圧部１０を備えており、陸及び物標の位置のみを表示器８に表示することが可能に構成されている。これにより、レーダ装置のオペレータは、雨天時等においても陸及び物標を容易に認識することができる。なお、前記雨雪反射等を抑圧するための構成については後に詳述する。
【００３０】
次に、各構成について詳しく説明する。
【００３１】
受信回路２は、レーダアンテナ１が受信した信号を検波して増幅し、Ａ／Ｄ変換部３に出力する。Ａ／Ｄ変換部３は、このアナログ型式の受信信号をサンプリングし、複数ビットからなるデジタルデータ（受信データ）に変換する。ここで、前記受信データが示す値は、レーダアンテナ１が受信した信号の強度（信号レベル）に対応している。Ａ／Ｄ変換部３は、前記受信データをスイープメモリ４に出力する。
【００３２】
スイープメモリ４は、前記受信データを１スイープ分リアルタイムで記憶することができるバッファである。ここで、「スイープ」とは、放射信号を放射してから次の放射信号を放射するまでの一連の動作をいい、「１スイープ分の受信データ」とは、放射信号を放射した後、次の放射信号を放射するまでの期間にサンプリングされたデータ系列をいう。バッファであるスイープメモリ４は、Ａ／Ｄ変換部から受信データが新たに書き込まれると、次のスイープによって当該受信データが上書きされてしまう前に、雨雪反射抑圧部１０に対して受信データを順次出力する。
【００３３】
雨雪反射抑圧部１０は、ＣＰＵ、ＲＡＭ、ＲＯＭなどのハードウェアと、前記ＲＯＭに記憶されたプログラム等のソフトェアと、から構成される。そして、雨雪反射抑圧部１０は、前記ハードウェアとソフトウェアとが協働することにより、後述の区間判定部（判定部）１１、閾値出力部１２等として機能するように構成されている。雨雪反射抑圧部１０は、スイープメモリ４から順次入力される受信データからなる受信データ群に対して、所定の統計処理を行うことにより、雨雪反射及びホワイトノイズを除去するための閾値である雨雪反射除去閾値を決定する（詳細は後述）。
【００３４】
また、雨雪反射抑圧部１０は、利得制御部１３としても機能する。利得制御部１３には、前記雨雪反射除去閾値と、スイープメモリ４からの受信データと、が入力される。利得制御部１３は、入力された受信データの信号レベルが雨雪反射除去閾値以上の場合は、受信データをそのまま画像メモリ７に出力する。一方、受信データの信号レベルが雨雪反射除去閾値未満の場合、利得制御部１３は、例えば信号レベルの値をゼロとして画像メモリ７に出力する。これにより、雨雪反射等を除去した受信データが画像メモリ７に出力される。なお、このように雨雪反射等を除去された受信データのことを、特に「雨雪反射除去済みデータ」と称することがある。
【００３５】
前記画像メモリ７には、表示器８に表示するレーダ映像の画像データが記憶されている。この画像データは、複数の画素からなるラスタデータであり、表示器８のラスタ走査に同期して高速で読み出される。
【００３６】
前記画像データにおいて、各画素は、例えば船首方向をＹ軸、船幅方向をＸ軸とするＸＹ直交座標系で配列して記憶されている。各画素には、当該画素の位置の信号レベルを示すデータ（前記雨雪反射除去済みデータ）が記憶されている。表示器８のラスタ走査に同期してこの画像データを読み出す際に、例えば、信号レベルが強い画素は濃い色で表示し、信号レベルが弱い画素は薄い色で表示することにより、水平面上における自装置周囲の陸又は物標の様子（レーダ映像）を表示器８に表示することができる。
【００３７】
描画アドレス発生部５には、所定方向（例えば船首方向）を基準としたスイープ角度データ（レーダアンテナ１の角度θを示すデータ）がレーダアンテナ１から入力されている。描画アドレス発生部５は、レーダアンテナ１の角度θと、放射信号を放射してからエコーを受信するまでの時間に対応する距離データＲと、に基づいて、対応する画素を指定するアドレスを生成する。即ち、描画アドレス発生部５は、極座標系（Ｒ，θ）で取得される陸又は物標の位置をＸＹ直交座標系に変換し、当該陸又は物標の位置に対応する画素のアドレス（Ｘ，Ｙ）を生成する。
【００３８】
雨雪反射除去済みデータが利得制御部１３から画像メモリ７に出力される際には、当該画像メモリ７のアドレス指定部に、描画アドレス発生部５が算出したアドレス（Ｘ，Ｙ）が入力される。これにより、雨雪反射除去済みデータを、対応する画素に記憶することができる。結果として、陸又は物標の位置に応じて信号レベルを平面上にプロットした画像データが生成されるので、これに基づいて表示器８にレーダ映像を表示することができる。
【００３９】
次に、雨雪反射抑圧部１０について説明する。前述のように、雨雪反射抑圧部１０は、区間判定部１１と、閾値出力部１２と、を備えている。
【００４０】
閾値出力部１２は、スイープメモリ４からの受信データに基づいて雨雪反射除去閾値を求め、利得制御部１３に出力するように構成されている。なお、雨雪反射除去閾値を例えば固定値とすることも考えられるが、この場合、雨量の変化等に適切に対応することができない。そこで本実施形態では、上記のように閾値出力部１２が実際の受信データに基づいて雨雪反射等除去閾値を求めることにより、そのとき発生している雨雪反射等を適切に抑圧できる閾値を自動的に決定するように構成している。
【００４１】
ここで、雨雪反射等の信号レベルに対して雨雪反射除去閾値が小さ過ぎると、雨雪反射抑圧の効果を十分に発揮することができない。一方で、雨雪反射等の信号レベルに対して雨雪反射除去閾値が大き過ぎると、陸や物標からのエコーまでも消してしまうおそれがある。このため、雨雪反射除去閾値は、雨雪反射等を適切に除去できるような値を、当該雨雪反射等の信号レベルに基づいて決定することが好ましい。
【００４２】
しかしながら、スイープメモリ４から入力される受信データには、雨雪反射等と、陸や物標からのエコーと、が混在している。一般的に、雨雪反射等の信号レベルに比べて陸や物標からのエコーの信号レベルの方が強いため、陸や物標からのエコーを含んだ受信データに基づいて雨雪反射除去閾値を求めると、当該雨雪反射除去閾値が大きくなりがちである。そのため、陸や物標からのエコーを含んだ受信データに基づいて求めた雨雪反射除去閾値では、陸や物標からのエコーまでも消えてしまうという問題がある。
【００４３】
そこで、本実施形態のレーダ装置は、所定の距離範囲毎に、各距離範囲が雨雪反射除去閾値を算出するのに適しているか否かを判定する区間判定部１１を備えている。
【００４４】
具体的には以下のとおりである。前述のように、区間判定部１１には、スイープメモリ４から受信データが順次入力されている。区間判定部１１は、前記スイープメモリ４から入力された受信データからなる受信データ系列の中から、所定の距離範囲ごとに、当該所定の距離範囲内の受信データを抽出する。
【００４５】
次に、区間判定部１１は、各距離範囲毎に、当該距離範囲内に含まれる受信データについて統計処理を行うことによりパラメータ算出を行う。そして、当該パラメータを用いて、各距離範囲が、雨雪反射又はホワイトノイズが支配的な距離範囲であるか否かを判定するように構成されている。
【００４６】
ここで、雨雪反射又はホワイトノイズが支配的な距離範囲を、「雨雪／ノイズ区間」と称する。一方、雨雪反射又はホワイトノイズが支配的ではない距離範囲は、陸又は物標からのエコーを示す受信データが多く含まれていると考えられるので、当該距離範囲を「陸／物標区間」と称する。
【００４７】
即ち、「雨雪／ノイズ区間」と判定された距離範囲は、陸及び物標からのエコーが支配的でなく、雨雪反射又はホワイトノイズが支配的であるので、当該距離範囲内の受信データを根拠にして、当該距離範囲についての雨雪反射除去閾値を適切に算出することができる。
【００４８】
従って、「雨雪／ノイズ区間」と判定された距離範囲においては、当該距離範囲内のデータに基づいて雨雪反射除去閾値を算出することが、雨雪反射等を良好に除去できる点で適していると考えられる。なお、本実施形態の説明では、雨雪／ノイズ区間である距離範囲について、当該距離範囲内の受信データに基づいて求めた雨雪反射除去閾値を、内部データ根拠閾値と呼ぶことがある。
【００４９】
一方、「陸／物標区間」と判定された距離範囲内の受信データには、陸や物標等からのエコーが混在しているので、雨雪反射除去閾値を、当該距離範囲内の受信データに基づいて適切に求めるのは難しい。
【００５０】
このように、「陸／物標区間」の距離範囲においては、当該距離範囲内のデータに基づいて雨雪反射除去閾値を算出することは、陸や物標のエコーを消す結果となってしまうおそれがあり、適していないと考えられる。従って、陸／物標区間と判定された距離範囲については、当該距離範囲内の受信データに基づかないで雨雪反射除去閾値を算出することが好ましい。
【００５１】
以下、図２を参照し、各距離範囲が「雨雪／ノイズ区間」又は「陸／物標区間」の何れであるかを判定する構成について説明する。図２は、本実施形態の雨雪反射抑圧部１０におけるデータフロー図である。
【００５２】
区間判定部１１は、スイープメモリ４から所定の距離範囲分の受信データ群（例えばＮ点の受信データ）が入力されるごとに、前記Ｎ点の受信データに基づいて、「ｔｈ＿ｗｉｄｔｈ」、「ｍａｘ＿ｍｉｎ＿ｗｉｄｔｈ」、「ｏｖｅｒ＿ｒａｉｎ＿ｎｕｍ」の３つのパラメータを算出するように構成されている。即ち、距離範囲毎に、上記３つのパラメータを算出するように構成されている。以下、それぞれのパラメータについて説明する。
【００５３】
「ｔｈ＿ｗｉｄｔｈ」は、所定範囲のヒストグラム総和値に対応する階級値幅を示すパラメータである。このｔｈ＿ｗｉｄｔｈを算出する際には、まず、区間判定部１１は、現在処理している距離範囲内のＮ点の受信データについて、信号レベルが階級値以上となる受信データの数をプロットしたヒストグラム総和値カーブを求める（Ｓ１０１）。
【００５４】
図３に、このヒストグラム総和値カーブを概念的に示す。図３において、横軸は階級値（信号レベル）であり、縦軸は信号レベルが階級値以上である受信データの数（ヒストグラム総和値）である。なお、図３は一般的な累積度数分布図を上下逆にした図に対応しており（即ち、横軸の階級値が０のときに縦軸は必ずＮ点になる）、区間判定部１１は、距離範囲内のＮ点の受信データについて信号レベルを階級値とした累積度数を求めているということができる。
【００５５】
次に、区間判定部１１は、ヒストグラム総和値の所定幅に対応する階級値の幅を求める（Ｓ１０２）。本実施形態では、ヒストグラム総和値が全体（Ｎ点）の２０％から８０％になる範囲に対応した階級値の幅（２０−８０％階級値幅）を求めている。即ち、図３のヒストグラム総和値カーブにおいて、縦軸のヒストグラム総和値が２０％となるときの階級値と、８０％となるときの階級値と、の差を、現在処理している距離範囲についてのｔｈ＿ｗｉｄｔｈとする。なお、このとき区間判定部１１が求めたヒストグラム総和値が２０％となるときの階級値は、閾値出力部１２に出力される。
【００５６】
「ｍａｘ＿ｍｉｎ＿ｗｉｄｔｈ」は、距離範囲内のＮ点の受信データについての、最大値と最小値との差である。区間判定部１１は、現在処理している距離範囲内のＮ点の受信データの中から最大値と最小値を求め、その差を当該距離範囲についてのｍａｘ＿ｍｉｎ＿ｗｉｄｔｈとする（Ｓ１０３）。
【００５７】
例として、図４に、あるスイープにおける受信データ系列の一部を示す。図４において、横軸はレーダアンテナからの距離であり、縦軸は信号レベルである。また、図４には、受信データＮ点毎に距離範囲が区切ってある様子が点線で示されている。即ち、アンテナの位置（原点Ｏ）から距離Ａまでの距離範囲と、距離Ａから距離Ｂまでの距離範囲と、距離Ｂから距離Ｃまでの距離範囲には、それぞれＮ点の受信データが含まれている。図４には、距離Ａから距離Ｂの範囲の距離範囲について、ｍａｘ＿ｍｉｎ＿ｗｉｄｔｈを求めた様子を示した。
【００５８】
「ｏｖｅｒ＿ｒａｉｎ＿ｎｕｍ」は、距離範囲内のＮ点の受信データのうち、レーダ方程式から算出した一定雨量レベルを超える受信データの総数である。このｏｖｅｒ＿ｒａｉｎ＿ｎｕｍを算出する際には、まず区間判定部１１は、所定雨量のときの雨雪反射の信号レベル（一定雨量レベル）を、レーダ方程式に基づいて算出する。
【００５９】
以下、レーダ方程式から一定雨量レベルを算出するための算出式の導出方法を簡単に説明する。レーダ方程式より、受信電力Ｐｒは以下の式（１）で表される。ここで、Ｐt（単位：Ｗ）はレーダ送信電力（送信尖頭電力）、Ｇ（単位：ｄＢ）はアンテナゲイン、λ（単位：ｍ）は波長、σc（単位：ｍ2）はターゲット有効反射断面積、Ｒ（単位：ｍ）はターゲットまでの距離である。
【数１】
2011002425.tif 000003
【００６０】
雨に対するターゲット有効反射断面積σcは、以下の式（２）で表される。ここで、Ｖc（単位：ｍ3）は目標体積（ビーム幅に含まれる雨の体積）、η（単位：ｍ2／ｍ3）は単位面積あたりの雨雪反射の反射率、σi（単位：ｍ2／ｍ3）は雨滴１粒の反射率である。
【数２】
2011002425.tif 000004
【００６１】
ビーム幅に含まれる雨の体積Ｖcは式（３）で表される。ここで、θB（単位：ｒａｄ）はアンテナ水平ビーム幅、φB（単位：ｒａｄ）はアンテナ垂直ビーム幅、ｃ（単位：ｍ／ｓ）は光の速度、τ（単位：ｍ）はパルス幅である。なお式（３）において、π／４はアンテナビーム照射範囲の楕円補正パラメータ値であり、１／（２ln２）はビームパターンがガウス分布に従う送受用アンテナによる雨の有効容積の補正量である。
【数３】
2011002425.tif 000005
【００６２】
式（１）〜式（３）より、受信電力Ｐｒは式（４）で表される。
【数４】
2011002425.tif 000006
【００６３】
更に、アンテナゲインはＧ＝π2／θBφBで近似できるので、式（４）より式（５）を得る。
【数５】
2011002425.tif 000007
【００６４】
ここで、雨滴１粒の反射率σiは、雨滴が直径Ｄiの球形で、円周がレーダの波長に比べて十分に短いとみなした場合、式（６）で表される。ここで、Ｄi（単位：ｍｍ）は雨滴１粒の直径、εは水の誘電率（２０℃で８０．４）である。
【数６】
2011002425.tif 000008
【００６５】
式（６）を式（５）に代入して式（７）を得る。
【数７】
2011002425.tif 000009
【００６６】
ΣＤi6はレーダ反射因子Ｚと呼ばれ、降雨量ｒに依存するパラメータである。即ち、式（７）はレーダ反射因子Ｚを用いて式（８）で表される。
【数８】
2011002425.tif 000010
【００６７】
レーダ反射因子Ｚは、実験によって求められた近似式で以下のように表される。
【数９】
2011002425.tif 000011
【００６８】
式（８）に、式（９）のうち最もよく用いられる一般式を代入すると式（１０）が得られる。ここで、ｒ（単位：ｍｍ／ｈ）は降雨量である。
【数１０】
2011002425.tif 000012
【００６９】
本実施形態では、以上のようにレーダ方程式から求めた式（１０）を、波長λ、送信電力Ｐt、アンテナゲインＧのレーダから、パルス幅τの探知信号を送信した時の、距離Ｒ、雨量ｒにおける受信電力（一定雨量レベル）の算出式とする。例として、図５に、式（１０）から求まる受信電力Ｐｒを、距離Ｒを変化させながらプロットした一定雨量レベル曲線を太線で示す。
【００７０】
区間判定部１１は、現在処理している距離範囲内のＮ点の受信データの中で、前記一定雨量レベル曲線を超える受信データの数を求め（Ｓ１０４）、この受信データの数を当該距離範囲についてのｏｖｅｒ＿ｒａｉｎ＿ｎｕｍとする。
【００７１】
そして、区間判定部１１は、上記３つのパラメータを用いて、各距離範囲が「雨雪／ノイズ区間」か「陸／物標区間」かを判別する（Ｓ１０５）。具体的には、区間判定部１１は、３つのパラメータそれぞれに閾値を予め設定しておき、３つのパラメータが全て閾値未満だった場合は、その距離範囲を「雨雪／ノイズ区間」と判定する。一方、１つでも閾値を超えたパラメータがあった場合は、区間判定部１１は、当該距離範囲を「陸／物標区間」と判定する。
【００７２】
例えば、ｔｈ＿ｗｉｄｔｈは、距離範囲内の受信データの信号レベルのバラツキを示す。雨雪反射やホワイトノイズは、信号レベルがあまり広い範囲にバラつかない。一方、陸や物標からのエコーは、様々な信号レベルで検出され得る。従って、ｔｈ＿ｗｉｄｔｈに対して適当な閾値を設定しておき、ある距離範囲について求めたｔｈ＿ｗｉｄｔｈが前記閾値以上であった場合（信号レベルが広い範囲にバラついている場合）は、当該距離範囲内の受信データは陸や物標からのエコーが支配的であると判断して、当該距離範囲を「陸／物標区間」と判定する。
【００７３】
また、ｍａｘ＿ｍｉｎ＿ｗｉｄｔｈは、信号レベルの変動の大きさを示す。距離範囲内の受信データが雨雪反射やホワイトノイズだけであれば、信号レベルはあまり大きくは変動しない。一方、距離範囲内に、陸又は物標からのエコーがある部分と無い部分とが混在している場合、当該距離範囲内で信号レベルが大きく変動する。従って、ｍａｘ＿ｍｉｎ＿ｗｉｄｔｈに対して適当な閾値を設定しておき、ある距離範囲について求めたｍａｘ＿ｍｉｎ＿ｗｉｄｔｈが前記閾値以上であった場合は、当該距離範囲内の受信データは陸や物標からのエコーが支配的であると判断して、当該距離範囲を「陸／物標区間」と判定する。
【００７４】
なお、受信データの信号レベルは、アンテナから遠い距離範囲ほど弱くなる。従って、遠い距離範囲ほど信号の振れ幅も小さくなり、最大値と最小値との差も小さくなる。そこで本実施形態では、アンテナから遠い距離範囲ほど、ｍａｘ＿ｍｉｎ＿ｗｉｄｔｈと比較する閾値が小さくなるように、当該閾値を予め設定している。
【００７５】
また、ｏｖｅｒ＿ｒａｉｎ＿ｎｕｍは、所定の雨量以上のデータの数を示す。雨量が多い場合であっても、例えば距離範囲内のＮ点の受信データ全てが雨雪反射を示すことは考えにくい。即ち、所定の信号レベル以上の雨雪反射は、１つの距離範囲内で一定数以上は検出されないと考えられる。一方、陸や物標は空間的に連続して存在するので、距離範囲内の殆どの受信データが陸や物標からのエコーを示すことは有り得る。従って、ｏｖｅｒ＿ｒａｉｎ＿ｎｕｍに対して適当な閾値を設定しておき、ある距離範囲について求めたｏｖｅｒ＿ｒａｉｎ＿ｎｕｍが前記閾値以上であった場合は、当該距離範囲内の受信データは陸や物標からのエコーが支配的であると判断して、当該距離範囲を「陸／物標区間」と判定する。
【００７６】
そして区間判定部１１は、ある距離範囲について求めた３つのパラメータ（ｔｈ＿ｗｉｄｔｈ、ｍａｘ＿ｍｉｎ＿ｗｉｄｔｈ、ｏｖｅｒ＿ｒａｉｎ＿ｎｕｍ）の何れも閾値未満であった場合、当該距離範囲は雨雪反射又はホワイトノイズが支配的な領域であると判断して、当該距離範囲が「雨雪／ノイズ区間」であると判定する。
【００７７】
次に、閾値出力部１２について説明する。閾値出力部１２は、内部データ根拠閾値算出部１４と、閾値補間部１５と、閾値決定部１６と、閾値平滑化部１７と、を備えている。
【００７８】
前述のように、「雨雪／ノイズ区間」と判定された距離範囲については、当該距離範囲内の受信データに基づいて雨雪反射除去閾値を適切に算出することができる。ある距離範囲が「雨雪／ノイズ区間」であると判定されると、内部データ根拠閾値算出部１４の機能が呼び出される（図２のＳ１０６）。
【００７９】
内部データ根拠閾値算出部１４は、「雨雪／ノイズ区間」と判定された距離範囲内の受信データに基づいて、当該距離範囲についての雨雪反射除去閾値（内部データ根拠閾値）を算出する。本実施形態では、当該距離範囲内の受信データのヒストグラム総和値２０％に対応する信号レベルを、当該距離範囲についての雨雪反射除去閾値（内部データ根拠閾値）としている。これにより、当該距離範囲内の大部分の雨雪反射等を除去することができる。
【００８０】
一方、「陸／物標区間」と判定された距離範囲については、当該距離範囲内の受信データに基づいて雨雪反射除去閾値を適切に算出することができない。そこで、ある距離範囲が「陸／物標区間」であると判定された場合は、閾値補間部１５又は閾値決定部１６の機能が呼び出される（図２のＳ１０７）。
【００８１】
閾値補間部１５は、現在処理している距離範囲が「陸／物標区間」であって、当該距離範囲に距離方向で前後に隣接する他の距離範囲が何れも「雨雪／ノイズ区間」である場合に、現在処理している距離範囲についての雨雪反射除去閾値を補間によって求める。本実施形態では、閾値補間部１５は、現在処理している距離範囲に隣接する「雨雪／ノイズ区間」についての内部データ根拠閾値を直線補間することにより、現在処理している距離範囲についての雨雪反射除去閾値を算出する。
【００８２】
例えば、図６の模式図において、「陸／物標区間」と判定されている距離範囲１０５には、「雨雪／ノイズ区間」と判定されている距離範囲１０４，１０６が距離方向の前後に隣接している。このような場合、閾値補間部１５は、距離範囲１０４についての内部データ根拠閾値と距離範囲１０６についての内部データ根拠閾値の中間値を、距離範囲１０５についての雨雪反射除去閾値として採用する。
【００８３】
一方、閾値決定部１６は、現在処理している距離範囲が「陸／物標区間」であって、当該距離範囲に距離方向で前後に隣接する距離範囲が何れか一方でも「陸／物標区間」である場合に、現在処理している距離範囲についての雨雪反射除去閾値をレーダ方程式に基づいて求める。
【００８４】
例えば、図６において、「陸／物標区間」と判定されている距離範囲１０１，１０２，１０３等には、「陸／物標区間」である他の距離範囲が距離方向に隣接している。このような場合、閾値補間部１５による補間によっては当該距離範囲の雨雪反射除去閾値を算出することができない。そこで、レーダ方程式から雨雪反射除去閾値を仮定的に求めるものである。
【００８５】
具体的には、式（１０）の受信電力の算出式に、現在処理している距離範囲の距離を代入して、当該距離範囲における雨雪反射レベルを算出する。例えば、現在処理している距離範囲が距離Ａ〜距離Ｂの範囲である場合、式（１０）においてＲ＝（Ａ＋Ｂ）／２（当該距離範囲の中間地点の距離）を代入して雨量レベルを算出する。そして、この一定雨量レベルから所定のオフセットを減算した値を、当該距離範囲についての雨雪反射除去閾値として採用する。このようにオフセットを減算することにより、陸や物標からのエコーを強めに残すことができる。
【００８６】
次に、閾値平滑化部１７について説明する。
【００８７】
上記のように求めた雨雪反射除去閾値は、距離範囲ごとに個別に求めたものであるから、距離方向又は方位方向に隣接する距離範囲間で雨雪反射除去閾値が大きく異なる場合、表示器８に表示されるレーダ映像が滑らかに表示されない。
【００８８】
そこで、閾値平滑化部１７は、現在処理している距離範囲についての雨雪反射除去閾値が求まると、距離方向及び方位方向で、雨雪反射除去閾値を平滑化する（図２のＳ１０８）ように構成されている。
【００８９】
方位方向の閾値の平滑化について説明する。閾値平滑化部１７は、例えば５スイープ分の雨雪反射除去閾値を記憶しておくバッファを有している。そして、閾値平滑化部１７は、現在処理している距離範囲の５点移動平均を取ることにより、方位方向の平滑処理を行う。
【００９０】
例えば図６において、距離範囲１０６についての雨雪反射除去閾値の５点移動平均を取る場合、閾値平滑化部１７は、今回を含む過去５スイープにおいて、当該距離範囲１０６と同じ距離に位置している距離範囲（具体的には、距離範囲１０６，２０６，３０６，４０６，５０６）についての雨雪反射除去閾値の平均値を求める。そして、閾値平滑化部１７は、前記平均値を距離範囲１０６についての雨雪反射除去閾値とする。
【００９１】
次に、距離方向の円滑化について説明する。閾値平滑化部１７は、距離方向に隣接する距離範囲間で、雨雪反射除去閾値をサンプル点数に応じて円滑化する。本実施形態では、Ｎ点の受信データそれぞれに対して、前後の距離範囲についての雨雪反射除去閾値から直線補間した雨雪反射除去閾値を求める。
【００９２】
なお、方位方向の閾値の平滑化までは距離範囲毎に雨雪反射除去閾値を設定するものであったが、距離方向の閾値の平滑化においては、距離範囲内のＮ点の受信データそれぞれに対して個別に雨雪反射除去閾値が設定される。これにより、距離方向に雨雪反射除去閾値が滑らかに変化するので、距離範囲の境界でレーダ映像がガタつくことなく、滑らかなレーダ映像を表示器８に表示することができる。
【００９３】
そして、上記のようにして各受信データに雨雪反射除去閾値が設定されると、前述の利得制御部１３に対して当該雨雪反射除去閾値が出力される。このとき、利得制御部１３には、当該雨雪反射除去閾値に対応した受信データが入力されるように構成されている。そして、利得制御部１３において、受信データの信号レベルと雨雪反射除去閾値とが比較され、受信データの信号レベルが雨雪反射除去閾値以上であった場合のみ、当該受信データが画像メモリ７に出力される。
【００９４】
以上で説明したように、本実施形態のレーダ装置は、区間判定部１１を備える。区間判定部１１は、受信信号をサンプリングした受信データ系列の中から、所定の距離範囲内の受信データを抽出し、当該抽出された受信データを用いて、当該距離範囲が「陸／物標区間」であるか「雨雪／ノイズ区間」であるかを判定する。
【００９５】
これにより、距離範囲ごとに、当該距離範囲が雨雪反射又はホワイトノイズが支配的な距離範囲であるか否かに応じて、雨雪反射除去の処理を異ならせることができる。従って、距離範囲ごとに適切な雨雪反射除去を行うことができるので、陸や物標からのエコーを残しつつ雨雪反射を良好に抑圧することができる。
【００９６】
また本実施形態のレーダ装置は、以下のように構成されている。即ち、区間判定部１１は、前記所定の距離範囲内の受信データについて、信号レベルを階級値として累積度数を求め、前記累積度数の所定範囲に対応する階級値の幅が所定値以上のときに、当該距離範囲は「陸／物標区間」であると判定している。
【００９７】
即ち、雨雪反射の信号レベルは、変動の幅が小さい傾向があるため、累積度数の所定範囲に対応する信号レベルの幅が狭くなる。一方、陸や物標からのエコーは、幅広い信号レベルの範囲で検出されるため、累積度数の所定範囲に対応する信号レベルの幅が広くなる。従って、ある距離範囲内の受信データについて、累積度数の所定範囲に対応する信号レベルの幅が所定値以上の場合は、当該距離範囲は雨雪反射又はホワイトノイズが支配的な距離範囲ではないと判断できる。
【００９８】
また、本実施形態のレーダ装置は、以下のように構成されている。即ち、区間判定部１１は、各距離範囲内の受信データについて、信号レベルの最大値と最小値を求め、前記最大値と最小値との差が所定値以上のときに、当該距離範囲は「陸／物標区間」であると判定している。
【００９９】
即ち、雨雪反射の信号レベルは、変動の幅が小さい傾向があるため、信号レベルの最大値と最小値との差は比較的小さくなる。一方、距離範囲内に陸や物標からのエコーがある部分と無い部分とがある場合、信号レベルの最大値と最小値との差は大きくなる。従って、ある距離範囲内の受信データについて、信号レベルの最大値と最小値との差が所定値以上の場合は、当該距離範囲は雨雪反射又はホワイトノイズが支配的な距離範囲ではないと判断できる。
【０１００】
また、本実施形態のレーダ装置は、以下のように構成されている。即ち、区間判定部１１は、所定の雨量に対応する雨量レベルをレーダ方程式に基づいて算出するとともに、所定の距離範囲内の受信データについて、信号レベルが前記雨量レベルを超える受信データの数を求め、前記雨量レベルを超える前記受信データの数が所定値以上のときに、当該距離範囲は「陸／物標区間」であると判定している。
【０１０１】
即ち、所定の信号レベル以上の雨雪反射が一定数以上検出されることは考えにくい。一方、距離範囲内に大きな陸等がある場合は、所定の信号レベル以上のエコーが連続して検出され得る。従って、所定の雨量レベル以上の信号レベルを示す受信データの数が所定値以上の場合は、当該距離範囲は雨雪反射又はホワイトノイズが支配的な距離範囲ではないと判断できる。
【０１０２】
また、本実施形態のレーダ装置は、以下のように構成されている。即ち、このレーダ装置は、受信データに含まれる雨雪反射を、雨雪反射除去閾値に基づいて抑圧するように構成される。また、当該レーダ装置は、所定の距離範囲ごとに雨雪反射除去閾値を決定する閾値出力部１２を備える。また閾値出力部１２は、内部データ根拠閾値算出部１４を備える。内部データ根拠閾値算出部１４は、「雨雪／ノイズ区間」であると判定された距離範囲内の受信データに基づいて、当該距離範囲に対する雨雪反射除去閾値としての内部データ根拠閾値を求める。
【０１０３】
即ち、雨雪反射又はホワイトノイズが支配的な距離範囲については、当該距離範囲内の受信データに基づいて、当該受信データに含まれる雨雪反射を抑圧するための雨雪反射除去閾値を適切に算出することができる。
【０１０４】
また、本実施形態のレーダ装置において、閾値出力部１２は、閾値補間部１５を備える。閾値補間部１５は、「陸／物標区間」と判定された距離範囲についての雨雪反射除去閾値を求める。また、閾値補間部１５は、雨雪反射除去閾値を求めようとする距離範囲に隣接した他の距離範囲であって、かつ「雨雪／ノイズ区間」であると判定された距離範囲についての内部データ根拠閾値に基づいて、前記雨雪反射除去閾値を決定する。
【０１０５】
即ち、雨雪反射を抑圧するための閾値を、雨雪反射又はホワイトノイズが支配的ではない距離範囲内の受信データに基づいて算出するのは難しい。この点、本実施形態のように構成することにより、雨雪反射又はホワイトノイズが支配的ではない距離範囲についての閾値を、当該距離範囲内の受信データを用いることなく、隣接する他の距離範囲についての閾値から求めることができる。従って、不適切なデータに基づいた閾値の算出を防止できるため、当該距離範囲において、陸や物標からのエコーは残しつつ、雨雪反射のみを良好に抑圧することができる。
【０１０６】
また、本実施形態のレーダ装置において、閾値出力部１２は、閾値決定部１６を備える。閾値決定部１６は、「陸／物標区間」であると判定された距離範囲について、レーダ方程式に基づいて算出された雨量レベルから所定のオフセットを減算した値を雨雪反射除去閾値として採用する。
【０１０７】
即ち、雨雪反射を抑圧するための閾値を、雨雪反射又はホワイトノイズが支配的ではない距離範囲内の受信データに基づいて算出するのは難しい。この点、本実施形態のように構成することにより、内部データ根拠閾値が算出された距離範囲が隣接していない場合であっても、雨雪反射又はホワイトノイズが支配的ではない距離範囲について閾値を決定することができる。また、雨量レベルから所定のオフセットを減算した値を閾値として用いることにより、陸や物標からのエコーを確実に残すことができる。
【０１０８】
以上に本発明の好適な実施の形態を説明したが、上記の構成は例えば以下のように変更することができる。
【０１０９】
上記実施形態では、雨雪反射抑圧部１０はハードウェア及びソフトウェアからなるとしたが、専用のハードウェアから構成されていても良い。
【０１１０】
上記実施形態では、距離範囲を一定幅とした（即ち、スイープメモリ４からの受信データ系列を分割するサンプル幅をＮ点で一定とした）が、これに限らない。例えば、距離範囲幅を、パルス幅や送信レンジに連動して変化させても良い。ただし、距離範囲内でパラメータを算出するためには十分な受信データのサンプル数が必要であるので、この点を考慮して距離範囲の幅を定めることが好ましい。
【０１１１】
上記実施形態において、各距離範囲を「雨雪／ノイズ区間」か「陸／物標区間」かを判定する方法は一例であって、これに限らない。例えば上記の３つのパラメータ（「ｔｈ＿ｗｉｄｔｈ」、「ｍａｘ＿ｍｉｎ＿ｗｉｄｔｈ」、「ｏｖｅｒ＿ｒａｉｎ＿ｎｕｍ」）すべてを求めるのではなく、１つ又は２つのパラメータに基づいて、各距離範囲が「雨雪／ノイズ区間」か「陸／物標区間」かを判定しても良い。
【０１１２】
閾値平滑化部１７による閾値の平滑化は、省略することもできる。
【０１１３】
ところで、レーダアンテナには、雨雪反射の他にも海面反射（海面の波に反射したエコー）が受信される。この海面反射は、レーダアンテナに近い位置では信号レベルが強力で、距離が離れると急激に信号レベルが低下するという特性がある。従って、船舶用のレーダ装置で問題となるのは、レーダアンテナに近い位置からの強力な海面反射である。
【０１１４】
そして、海面反射は、信号レベルが強力であるという点で、陸や物標からのエコーに類似している。そのため、上記の実施形態では、海面反射が含まれる距離範囲は「陸／物標区間」と判定される。即ち、上記実施形態のレーダ装置は、雨雪反射及びホワイトノイズと、海面反射と、を区別することができる。
【０１１５】
なお、海面反射は上述のように信号レベルが強力であるため、単に信号レベルの強度の観点から陸や物標からのエコーと区別することは難しい。ここで、海面反射を検出する方法としては、面状の領域（ある程度の広がりをもつ領域）内の受信エコーを観測し、当該面状の領域内の受信エコーが海面反射としての特徴を有しているか否かで判断する方法がある。このため、この観点から海面反射と雨雪反射とを区別しようとした場合、面状の領域のデータを扱うために膨大なデータ量が必要となる。一方、雨雪反射は比較的弱い信号レベルで均一に分布するため、距離方向の受信データ（距離範囲毎の受信データ）の統計処理だけで特徴を検出できる。この点に着目すれば、上記実施形態の構成は、少ないデータ量で雨雪反射と海面反射とを区別できるという点で、効率が良好であると言うことができる。
【０１１６】
一方、上記実施形態では雨雪反射とホワイトノイズは同じ性質のものとして扱ったが、雨量が増えれば、雨雪反射とホワイトノイズは平均信号レベルに明確な差が出る。従って、「雨雪／ノイズ区間」と判定された距離範囲の平均信号レベルを見ることにより、当該距離範囲の範囲に雨が降っているか否かを判定することができる。ここで、上記のように、海面反射は「雨雪／ノイズ区間」からは予め除外されている。従って、様々なクラッタやホワイトノイズが検出されるなかで、雨が降っているエリアのみを区別して検出することができる。
【０１１７】
上記の構成によれば、例えば、雨雪反射のみを色分けして表示器８に表示したり、雨雪反射が検出されたエリアのみを半透明の色で塗りつぶして表示器８に表示するように構成することができる。これにより、雨が降っているエリアをオペレータが直感的に認識することができる。
【０１１８】
また、上記のように雨が降っているエリアを検出することができるので、雨雲の動きをある程度予測することも可能である。これにより、オペレータは気象状況に応じて船舶等を運転することができる。
【符号の説明】
【０１１９】
１０  雨雪反射抑圧部
１１  区間判定部（判定部）
１４  内部データ根拠閾値算出部
１５  閾値補間部
１６  閾値決定部
【図１】
2011002425.tif 000013
【図２】
2011002425.tif 000014
【図３】
2011002425.tif 000015
【図４】
2011002425.tif 000016
【図５】
2011002425.tif 000017
【図６】
2011002425.tif 000018